(57)【要約】【課題】操作部とスイッチ部が分離可能に結合された押しボタンスイッチにおいて、スイッチ部が操作部から離脱した際に、常閉接点構成の開閉接点ユニットの開閉接点が確実に開離されてオフ状態となり、構成が簡単で製作が容易押しボタンスイッチを提供することを課題とする。【解決手段】スイッチ部内に、回動可能に支持され一端がスイッチ部に結合された操作部の一部に作用し、他端がスイッチ部内の開閉接点ユニットの接点開閉機構に作用して接点の開閉を操作するレバーと、このレバーを一定の回転方向に付勢するばねとで構成した接点開離機構を設け、この接点開離機構により前記スイッチ部が操作部から分離されたときは前記開閉接点ユニットの接点開閉機構を可動接点が待機状態位置から操作状態位置方向へ移動させるように付勢し、前記スイッチ部が操作部に結合されたときは前記接点ユニットの接点開閉機構への前記付勢を解除する。【選択図】図１１
2010232157.tif 000002
【特許請求の範囲】
【請求項１】
押し込み操作される押しボタンを有する操作部と、この操作部の押しボタンの押し込み操作に連動して開閉される開閉接点ユニットを備えたスイッチ部とを相互に分離可能に結合してなる押しボタンスイッチにおいて、前記スイッチ部内に、回動可能に支持され一端がスイッチ部に結合された操作部の一部に作用し、他端がスイッチ部内の開閉接点ユニットの接点開閉機構に作用して接点の開閉を操作するレバーと、このレバーを一定の回転方向に付勢するばねとで構成した接点開離機構を設け、この接点開離機構により前記スイッチ部が操作部から分離されたときは前記開閉接点ユニットの接点開閉機構を可動接点が待機状態位置から操作状態位置方向へ移動させるように付勢し、前記スイッチ部が操作部に結合されたときは前記接点ユニットの接点開閉機構への前記付勢を解除することを特徴とする押しボタンスイッチ。
【請求項２】
請求項１に記載のものにおいては、前記接点開離機構におけるレバーは中間部に回動支点を有し、一端の付勢力が操作部側にそして他端の付勢力が接点部側に作用し、前記スイッチ部が操作部に結合されているときは前記操作部で前記レバーの付勢力を支持し、スイッチ部側への付勢力が作用しないようにすることを特徴とする押しボタンスイッチ。
【請求項３】
請求項１または２に記載のものにおいては、前記接点開離機構のレバーを一定の回転方向に付勢するばねが捩じりコイルばねであることを特徴とする押しボタンスイッチ。
【請求項４】
請求項１または２に記載のものにおいては、前記接点開離機構のレバーを一定の回転方向に付勢するばねが圧縮コイルばねであることを特徴とする押しボタンスイッチ。
【請求項５】
請求項１または２に記載のものにおいては、操作部とスイッチ部が結合された状態で、操作部における押しボタンと連動する押し棒とスイッチ部の接点ユニットの開閉機構を構成する可動接点を支持する可動枠とは互いの対向端部を接触させることにより操作力の伝達を行うようにしたことを特徴とする押しボタンスイッチ。
【請求項６】
請求項１ないし５の何れか１項に記載のものにおいては、前記開閉接点ユニットが常開接点を備えるものである場合は、スイッチ部が操作部から分離したとき前記接点開離機構による接点ユニットの開閉機構が常開の接点を閉合する方向への付勢に伴う接点の移動量を可動接点が固定接点に接触しない量に制限するようにしたことを特徴とする押しボタンスイッチ。
【請求項７】
請求項１ないし６の何れか１項に記載のものにおいては、スイッチ部に設ける開閉接点ユニットは１個または複数個とし、各開閉接点ユニットに前記接点開離機構を設けたことを特徴とする押しボタンスイッチ。
【請求項８】
請求項１ないし６の何れか１項に記載のものにおいては、スイッチ部に設ける開閉接点ユニットは複数組の開閉接点と各組の開閉接点の可動接点を一括保持した共有の可動枠を備えた構成とし、該可動枠に前記接点開離機構を設けたことを特徴とする押しボタンスイッチ。
【請求項９】
請求項１ないし８の何れか１項に記載の押しボタンスイッチを、ベースとカバーに分割されたボックスに収容する際に、前記ベースに前記スイッチ部を固定し、前記カバーに前記操作部を取付け、カバーをベースに被せて一体に結合することにより前記操作部とスイッチ部とを結合するようにしたことを特徴とする押しボタンスイッチ。
【請求項１０】
請求項１ないし８の何れか１項に記載の押しボタンスイッチを、ベースとカバーに分割されたボックスに収容してボックス組込み型の押しボタンスイッチを構築する際に、前記カバーに前記操作部を取付け、前記ベースには前記スイッチ部を嵌め込んで所定の収容位置に仮保持した上で、カバーをベースに被せて一体に結合ことにより、前記操作部とスイッチ部とを結合するとともに、スイッチ部を前記カバーとベースとで上下から挟持固定するようにしたことを特徴とする押しボタンスイッチ。
【請求項１１】
請求項１０に記載のものにおいては、スイッチ部の開閉接点ユニットに設けた引出し端子に一端を接続してボックスのベース上面側に引き出した端子ねじ付きの中継端子金具を設け、前記ボックスのカバーをベースに被せて一体に結合した状態で、前記中継端子金具をベースに形成した端子台とカバーの内側に形成した押え込みリブとの間に挟み込んでスイッチ部を挟持固定するようにしたことを特徴とする押しボタンスイッチ。
【請求項１２】
請求項１１に記載のものにおいては、端子金具をボックスのベースに形成した端子台の溝に圧入して仮固定するようにしたことを特徴とする押しボタンスイッチ。
【請求項１３】
請求項１０に記載のものにおいては、ボックスのベース底部にスイッチ部の取付けフレームを設け、該取付けフレームにスイッチ部を嵌入してスナップフィット結合したことを特徴とする押しボタンスイッチ。
【発明の詳細な説明】
【技術分野】
【０００１】
この発明は、工作機械の制御盤等に取り付けられ、機器に非常停止を指令する等のために使用される押しボタンスイッチに関する。
【背景技術】
【０００２】
このような非常停止用の押しボタンスイッチは、一般に固定接点とこれに開閉される可動接点とで構成した開閉接点ユニットを備えたスイッチ部と、前記開閉接点ユニットを開閉操作する押しボタン操作機構を備えた操作部とを連結結合して構成される。
【０００３】
このような構成の押しボタンスイッチの従来例を図２８ないし図３６に示す。
【０００４】
図２８は、押しボタンスイッチの外観を示す斜視図、図２９ないし図３２は、図２８に示す押ボタンスイッチのそれぞれ異なる切断位置の断面図である。これらの図において、１は、操作部ケース１１に、押し込み操作可能な押しボタン１２およびこれに連繋し連動する押棒１３等からなる操作機構を収容した操作部である。２は、常態で開離された固定接点２２ａと可動接点２３ａとからなる常開接点（ａ接点）構成の開閉接点ユニット２４ａおよび、常態で閉合された固定接点２２ｂと可動接点２３ｂとからなる常閉接点（ｂ接点）構成の開閉接点ユニット２４ｂを収容するスイッチ部である。各開閉接点ユニットは可動接点２２ａ，２２ｂをそれぞれ支持して滑動する可動枠２５ａ、２５ｂを備える。
【０００５】
操作部１とスイッチ部２とは、図２９に示すように分離可能に構成される。スイッチ部のケース２１には嵌合穴２１ａが設けられ、この中に、操作部１の筒状ケース１１の先端の胴体部１１ａを嵌入し、スイッチ部ケース２１の嵌合穴２１aの内周に設けられたフック２１cを胴体部１１aの外周に設けられた係合凹所１１cに係合することにより操作部１とスイッチ部２とを一体に連結結合する。操作部１とスイッチ部２との連結を外す場合は、スイッチ部２に設けられたスライダ２９を操作して、前記の係合凹所１１ｃに係合されたフック２１ｃの係合を外すようにする。
【０００６】
なお、図２８（ｂ）に示した切断線XIXないしXXIIで切断した断面を示す図２９ないし図３２において、それぞれ（ａ）は、押しボタンスイッチの押しボタン１２が押し込まれないで初期の復帰位置に置かれた待機状態を示し、（ｂ）は押しボタン１２が図において下方の操作位置まで押し込まれた操作状態を示す。
【０００７】
操作部１には、押しボタン１２の押し込み状態を保持するために、押し棒１３の外周に設けた突起１３ｃと、ケース１１の胴体部１１ａ内周に設けられたロック板１１ｃとにより構成されたロック機構が設けられている。押しボタン１２が押し込まれる前の待機位置から押しボタン１２を押し込み操作すると、これに連繋れた押し棒１３がこれと連動して下降し、その突起１３ｃが、ロック板１１ｃを乗り越えて押し込み位置に達すると、突起１３がロック板１１ｃの下端と係合し、押しボタン１２の復帰を阻止する。これにより、押しボタン１２は操作解除後も押し込み位置に保持される。押し込み位置から押しボタン１２を待機位置へ復帰するには、押しボタン１２を所定角度回転させてロック板１１ｃと押し棒１３の突起１３ｃとの係合を外してロックを解除することにより行う。回転された押しボタン１２は、捩じりコイルばねよりなる復帰ばね１４により回転前の復帰位置にも戻される。
【０００８】
操作部１とスイッチ部２とを連結した状態では、図２９（ａ）に示すように、スイッチ部２の開閉接点ユニットの可動接点を支持する可動枠２５ａ，２５ｂがそれぞれ復帰ばね２６ａ，２６ｂにより押し上げられることにより、その上端が操作部１の押しボタン１２と連繋された押し棒１３の下端に当接される。押しボタン１２が待機位置にあるときは、常開接点（ａ接点）構成の開閉接点ユニット２４ａは、図３１（ａ）に示すように可動接点２３ａが固定接点２２ａから開離しオフ状態となる。また、常閉接点（ｂ接点）構成の開閉接点ユニット２４ｂは、図３２（ａ）に示すように可動接点２３ｂが固定接点２２ｂに閉合しオン状態となる。
【０００９】
ここで、押しボタン１２を復帰ばね１４に抗して下方へ押し込み操作すると、これに連動する押し棒１３により、スイッチ部２の可動枠２５ａ、２５ｂが押し下げられ、これと一緒に可動接点２３ａ，２３ｂが下方へ移動する。このため、常開接点構成の開閉接点ユニット２４ａは、図３１（ｂ）に示すように、可動接点２３ａが固定接点２２ａも閉合し、オン状態となる。また、常閉接点構成の開閉接点ユニット２４ｂは、図３２（ｂ）に示すように可動接点２３ｂが固定接点２２ｂから開離しオフ状態となる。
【００１０】
このような押しボタンスイッチは制御盤等のパネルに取り付けて使用する。その取付け手順は次のとおりである。まず、図３３に示すように、スイッチ部２の外された操作部１から固定ナット１９を外して、パネルの表側からパネルの取付け穴に胴体部１１ａを挿入する。次いでパネルの裏側から、挿入された操作部１胴体部１１ａに固定ナット１９をねじ込んでパネルに締め付け、固定する。このパネルに取り付けた操作部１の胴体部１１ａにスイッチ部２の嵌合穴２１ａを嵌め合わせて、スイッチ部２を操作部１に連結結合する。
【００１１】
このように制御盤等に取り付けて使用される押しボタンスイッチは、使用中に何らかの原因でスイッチ部２が操作部１から外れて脱落するような事故が発生することがある。押しボタンスイッチの押し込み操作状態においてこのようなスイッチ部２が操作部１から外れるような事故が発生すると、スイッチ部２において操作部１の押し棒１３による押し込み状態が解除されるため、スイッチ部２の可動枠２５ａ、２５ｂが復帰ばね２６ａ、２６ｂにより復帰位置に戻され、図３６および図３７に示すように常開接点ユニット２４ａはオフ状態に、常閉接点ユニット２４ｂはオン状態に戻される。
【００１２】
常閉接点ユニット２４ｂを非常停止指令のために使用している場合には、このようなスイッチ部２が操作部１から離脱する事故により、常閉接点ユニットがオン状態に戻って非常停止指令が解除されるため、非常停止した機器の運転が再開されて重大な事故が引き起こされる危険がある。
【００１３】
このような危険を回避するためには、押しボタンスイッチのスイッチ部２が操作部から外れたときに、特に非常停止指令用開閉接点ユニットとして使用される常閉接点構成の開閉接点ユニットの開離された可動接点が固定接点に閉合する位置に戻らないようにする必要がある。
【００１４】
このような課題を解決するための押しボタンスイッチとして、従来から特許文献１および２に示されるような押しボタンスイッチが知られている。
【００１５】
特許文献件１に示された従来の押しボタンスイッチの構成を図３８ないし図４０に示す。この従来の押しボタンスイッチは、押ボタン１２と、これを滑動自在に支持する操作部ケース１１と、操作部ケース１１内に設けられ、押ボタン１２の動きに連動する押し棒１３とから構成された操作部１と操作部１の操作部ケース１１の下部に着脱自在に取り付けられるスイッチ部２とを備える。
【００１６】
スイッチ部２は、上下方向の弾性を有する折曲げ部分を備えかつスイッチ部ケース２１に固定された変位可能な固定接触子２２ｃと、この折曲げ部分の先端に配置された固定接点２２ｂを備える。また、第１のばね２７により固定接点２２ｂの側に付勢されかつ第２のばね２８により前記固定接点から離反する側に付勢された可動枠２５ｂにより支持された可動接触子２３ｃと、この可動接触子２３ｃの先端に配置された可動接点２３ｂを備える。
【００１７】
このような操作部１とスイッチ部２とが結合されることにより、スイッチ部２の固定接点２２ｂおよび可動接点２３ｂとが互いに接触して初期のオン状態を形成する（図３８参照）。
【００１８】
この初期のオン状態から押ボタン１２を押し込むと、ロック機構１８により押し込み位置に保持された押し棒１３からの押付力が第２の可動枠２５ｃを介して固定接触子２２ｃの折曲げ部分に作用することにより、固定接点２２ｂが可動接点２３ｂから離反されてオフ状態に移行する（図３９参照）。
【００１９】
結合が外れ、スイッチ部２が操作部か１ら分離された際には、可動接点２３ｂを支持する可動枠２５ｂおよび第２の可動枠２５ｃが第２のばね２８の弾性反発力の作用により押し上げられることにより、可動接点２３を固定接点２２ｂから離反させてオフ状態とすることができる（図４０参照）。
【００２０】
特許文献２に示された従来の押しボタンスイッチは、図４１および図４２に示すように構成されている。
【００２１】
操作部１は、操作部ケース１１によりスライド自在に支持された押しボタン１２と、この押しボタン１２と連繋された押し棒１３と押しボタン１２を復帰させるための復帰ばね１４、押しボタン１２を押し込み位置に保持するためのロック機構１８等を備える。スイッチ部２は、操作部１の操作部ケース１１の下端部に着脱自在に結合されるスイッチ部ケース２１内に固定接点２２ｂおよび可動接点２３ｂとからなる常閉接点構成の開閉接点機構を収容してなる。可動接点２３ｂの取り付けられた可動接触子２３ｃは、可動枠２５ｂによって支持されている。この可動枠２５ｂとスイッチ部ケース２１との間に可動接点２３ｂを固定接点２２bから開離する方向に付勢するばね２８が設けられている。
【００２２】
スイッチ部２が操作部１に結合されると、可動枠２５ｂは、操作部１の押しボタン１２と連動する押し棒１３に連繋される。そして、スイッチ部２の可動接点２３ｂを開離方向に付勢するばね２８のばね力を、操作部１押しボタンを押し上げる復帰用のばね１４のばね力より小さくして、押しボタン１２の押し込み操作を行う前に可動接点２３ｂが固定接点２２ｂから開離しないように各ばねのばね力のバランスを図っている。
【００２３】
この押しボタンスイッチは、押しボタンが押し込まれていない復帰（初期）位置にある状態では、図４１に示すように、スイッチ部２の可動枠２５ｂが開離ばね２８のばね力に抗して操作部１押し棒１３により引き上げられ、可動接点２３ｂは固定接点２２ｂと接触し、オン状態を形成する。そして、押しボタン１２を図４２に示すように押し込み操作すると、押し棒１３は、ロック機構１８により押し込み位置に保持される。そして押し棒１３の押し込みとともに可動枠２５ｂが下方へ押し込まれ、可動接点２３ｂが固定接点２２ｂから開離し、オフ状態となる。
【００２４】
また、操作部１とスイッチ部２との結合が外れて、スイッチ部２が操作部１から分離すると、可動枠２５ｂが自由となるため、開離ばね２８のばね力によりにより可動枠２５ｂが可動接点２３ｂを固定接点２２ｂから開離する方向に押し下げて、スイッチ部２をオフ状態にする。
【先行技術文献】
【特許文献】
【００２５】
【特許文献１】特開２００１‐０３５３０２号公報
【特許文献２】特開２００３‐３０３５２７号公報
【発明の概要】
【発明が解決しようとする課題】
【００２６】
このように特許文献１および２に示された従来の押しボタンスイッチによれば、操作部とスイッチ部が着脱自在に結合された押しボタンスイッチにおいて、スイッチ部が操作部から外れ離脱する事故が発生した際、開離用ばねにより、常閉接点構成の開閉接点ユニットの閉合した２つの接点の何れか一方を離間する方向に駆動して２つの接点を確実に開離させ、オフ状態にすることができる。
【００２７】
しかしながら、従来の押しボタンスイッチにおけるスイッチ部が操作部から離脱したとき、常閉接構成の開閉接点ユニットの開閉接点を開離させてオフ状態にする機構は、両方の接点を共に可動にしたり、開離用ばねと操作部の復帰ばねとのばね力のバランスを図ったりする必要があるため、構成が複雑で製作が困難となる問題がある。
【００２８】
この発明は、前記のような問題を解決するため、操作部とスイッチ部が着脱自在に結合された押しボタンスイッチにおいて、スイッチ部が操作部から離脱した際に、常閉接点構成の開閉接点ユニットの開閉接点が確実に開離されてオフ状態となり、構成が簡単で製作が容易な押しボタンスイッチを提供することを課題とするものである。
【課題を解決するための手段】
【００２９】
前記の課題を解決するため、この発明は、押し込み操作される押しボタンを有する操作部と、この操作部の押しボタンの押し込み操作に連動して開閉される開閉接点ユニットを備えたスイッチ部とを相互に着脱自在に結合してなる押しボタンスイッチにおいて、前記スイッチ部内に、回動可能に支持され一端がスイッチ部に結合された操作部の一部に作用し、他端がスイッチ部内の開閉接点ユニットの接点開閉機構に作用して接点の開閉を操作するレバーと、このレバーを一定の回転方向に付勢するばねとで構成した接点開離機構を設け、この接点開離機構により前記スイッチ部が操作部から分離されたときは前記開閉接点ユニットの接点開閉機構を可動接点が待機状態位置から操作状態位置方向へ移動させるように付勢し、前記スイッチ部が操作部に結合されたときは前記接点ユニットの接点開閉機構への前記付勢を解除することを特徴とするものである。
【００３０】
この発明においては、前記接点開離機構におけるレバーは中間部に回動支点を有し、一端の付勢力が操作部側にそして他端の付勢力が接点部側に作用し、前記スイッチ部が操作部に結合されているときは前記操作部で前記レバーの付勢力を支持し、スイッチ部側への付勢力が作用しないようにすることができる。
【００３１】
また、前記接点開離機構のレバーを一定の回転方向に付勢するばねとして、捩じりコイルばね，あるいは圧縮コイルばねを採用して構成することができる。
【００３２】
また、この発明においては、操作部とスイッチ部が結合された状態で、操作部における押しボタンと連動する押し棒とスイッチ部の接点ユニットの開閉機構を構成する可動接点を支持する可動枠とは互いの対向端部を接触さることにより操作力の伝達を行うようにするのがよい。
【００３３】
さらに、この発明においては、前記開閉接点ユニットが常開接点を備えるものである場合は、スイッチ部が操作部から分離したとき前記接点開離機構による接点ユニットの開閉機構が常開の接点を閉合する方向への付勢に伴う接点の移動量を可動接点が固定接点に接触しない量に制限するようにするのがよい。
【００３４】
この発明においては、スイッチ部に設ける開閉接点ユニットは１個または複数個とし、各開閉接点ユニットに前記接点開離機構を設けるようにすることができる。
【００３５】
また、スイッチ部に設ける開閉接点ユニットは、複数組の開閉接点と各組の開閉接点の可動接点を一括保持した共有の可動枠を備えた構成とし、この開閉接点ユニットに前記接点開離機構を連係して設けるようにすることもできる。
【００３６】
さらにまた、この発明の押しボタンスイッチは、ベースとカバーに分割されたボックスに収容してボックス組込み型押しボタンスイッチを構築する際に、前記ベースに前記スイッチ部を固定し、前記カバーに前記操作部を取付け、カバーをベースに被せて一体に結合することにより前記操作部とスイッチ部とを結合することもできる。
【００３７】
また、この発明の押しボタンスイッチは、前記ボックスに前記スイッチ部を収容する際に、スイッチ部を前記ベースに嵌め込んで所定の収容位置に仮保持した上で、カバーをベースに被せて一体に結合ことにより前記スイッチ部を前記カバーとベースとで上下から挟持固定するようにし、具体的には次記のような態様で構成することができる。
（１）前記スイッチ部の開閉接点ユニットに設けた引出し端子に一端を接続してボックスのベース上面側に引き出した端子ねじ付きの中継端子金具を設け、前記ボックスのカバーをベースに被せて一体に結合した状態で、前記中継端子金具をベースに形成した端子台と
カバーの内側に形成した押え込みリブとの間に挟み込んでスイッチ部を挟持固定するようにする。
（２）前記端子金具をボックスのベースに形成した端子台の溝に圧入して仮固定するようにする。
（３）前記ボックスのベース底部にスイッチ部の取付けフレームを設け、該取付けフレームにスイッチ部を嵌入してスナップフィット結合するようにする。
【発明の効果】
【００３８】
この発明によれば、操作部とスイッチ部を着脱自在に結合してなる押しボタンスイッチにおいて、スイッチ部が操作部から離脱する事故が生じた場合、常閉接点を有する接点ユニットの常閉接点が自動的に開離されるので、スイッチ部の操作部から離脱する事故によって非常停止操作が解除される危険を防止することができ、押しボタンスイッチの安全性を高めることができる。
【００３９】
この発明に使用する接点開離機構は、操作部の操作機構とは独立して構成されるので、操作部のばね系と関係なしに接点開離機構のばね系を設計、製作することができるので押しボタンスイッチの設計、製造が容易となる。
【００４０】
ベースとカバーに分割構成されたボックスに押しボタンスイッチを収容して使用する場合、このケースのカバーとベースの締め付けが不十分で、カバーがベースから外れるような事故が発生した場合にもこれを検知し、常閉接点を開離させ、安全な状態にすることができる。
【００４１】
さらに、この押しボタンスイッチをベースとカバーに分割された操作ボックス（オプション品）に組み込んで外部配線と接続するボックス組込み型の押しボタンスイッチを構築する場合に、この発明の組立構造によれば、制御盤パネルなどに装着して使用する前記構造の操作部およびスイッチ部を共用部品とし、そのスイッチ部の開閉接点ユニットに簡易な引出し端子部品を追加するだけで、スイッチ部をボックスのベースにねじ止め固定する面倒な作業を必要とせずに、ボックス内の所定位置に固定支持上で外部配線の接続作業も簡単な行うことができる。これによりユーザーへのサービス性，およびメンテナンス性の向上が図れる。
【図面の簡単な説明】
【００４２】
【図１】この発明の実施例１による押しボタンスイッチの外観を示すもので、（ａ）は斜視図、（ｂ）は平面図である。
【図２】この発明の実施例１による押しボタンスイッチの待機状態（ａ）および操作状態（ｂ）を図１（ｂ）の切断線II-IIに沿う断面により示す図である。
【図３】この発明の実施例１による押しボタンスイッチの待機状態（ａ）および操作状態（ｂ）を図１（ｂ）の切断線III-IIIに沿う断面により示す図である。
【図４】この発明の実施例１による押しボタンスイッチの待機状態（ａ）および操作状態（ｂ）を図１（ｂ）の切断線IV-IVに沿う断面により示す図である。
【図５】この発明の実施例１による押しボタンスイッチの待機状態（ａ）および操作状態（ｂ）を図１（ｂ）の切断線V-Vに沿う断面により示す図である。
【図６】この発明の実施例１による押しボタンスイッチの操作部とスイッチ部が分離した状態を示す斜視図である。
【図７】この発明の実施例１による押しボタンスイッチの操作部とスイッチ部が分離した状態での図１（ｂ）の切断線II-IIに沿う断面図である。
【図８】この発明の実施例１による押しボタンスイッチの操作部とスイッチ部が分離した状態での図１（ｂ）の切断線III-IIIに沿う断面図である。
【図９】この発明の実施例１による押しボタンスイッチの操作部とスイッチ部が分離した状態での図１（ｂ）の切断線IV-IVに沿う断面図である。
【図１０】この発明の実施例１による押しボタンスイッチの操作部とスイッチ部が分離した状態での図１（ｂ）の切断線V-Vに沿う断面図である。
【図１１】この発明に使用する接点開離機構を備えた開閉接点ユニットの外観を示す斜視図である。
【図１２】この発明に使用する接点開離機構を備えた開閉接点ユニットを分解して示す斜視図である。
【図１３】この発明に使用する接点開離機構を備えた常開接点（ａ接点）構成の開閉接点ユニットの動作状態を図１１における切断線ａ‐ａ線ないしｃ‐ｃ線に沿う断面により示す図である。
【図１４】この発明に使用する接点開離機構を備えた常閉接点（ｂ接点）構成の開閉接点ユニットの動作状態を図１１における切断線ａ‐ａ線ないしｃ‐ｃ線に沿う断面により示す図である。
【図１５】この発明の実施例２に使用する接点開離機構を備えた開閉接点ユニットの外観を示す斜視図である。
【図１６】この発明の実施例２に使用する接点開離機構を備えた開閉接点ユニットを分解して示す斜視図である。
【図１７】この発明の実施例２に使用する接点開離機構を備えた常閉接点（ｂ接点）構成の開閉接点ユニットの動作状態を図１５における切断線ａ‐ａ線ないしｃ‐ｃ線に沿う断面により示す図である。
【図１８】この発明の実施例３を示す斜視図である。
【図１９】この発明の実施例４を示す斜視図である。
【図２０】この発明の実施例４に使用するスイッチ部の一部切欠の斜視図である。
【図２１】この発明の実施例４に使用するスイッチ部の主要部を分解して示す斜視図である。
【図２２】この発明の実施例５によるボックス組込み型押しボタンスイッチの分解斜視図である。
【図２３】この発明の実施例５に使用する端子台を示すもので、（ａ）はその斜視図、（ｂ）は（ａ）における切断線ｂ-ｂに沿う断面図である。
【図２４】この発明の実施例６によるボックス組込み型押しボタンスイッチの組立構造を表す側視断面図である。
【図２５】この発明の実施例６の構造を示す分解図で、（ａ）は押しボタンスイッチの操作部をボックスのカバーに組み付けた状態の斜視図、（ｂ）はスイッチ部組立体の斜視図、（ｃ）は（ｂ）のスイッチ部組立体をボックスのベースに収容した仮組立状態の斜視図である。
【図２６】この発明の実施例６に使用するスイッチ部の詳細構造図で、（ａ）は引出し端子部の分解斜視図、（ｂ）は（ａ）における中継端子金具の斜視図、（ｃ）はスイッチ部をボックスのベースに収容した仮組立状態の断面図である。
【図２７】この発明の実施例７によるボックス組込み型押しボタンスイッチの要部組立構造を示す分解図で、（ａ）はスイッチ部組立体の斜視図、（ｂ）は（ａ）のスイッチ部組立体をボックスのベース内底部に掛止保持する取付けフレームの斜視図、（ｃ）はボックスのベースの斜視図である。
【図２８】従来の押しボタンスイッチの構成を示すもので、（ａ）は斜視図、（ｂ）は平面図である。
【図２９】従来の押しボタンスイッチの待機状態（ａ）および操作状態（ｂ）を図２８（ｂ）の切断線XIX-XIXに沿う断面により示す図である。
【図３０】従来の押しボタンスイッチの待機状態（ａ）および操作状態（ｂ）を図２８（ｂ）の切断線XX-XXに沿う断面により示す図である。
【図３１】従来の押しボタンスイッチの待機状態（ａ）および操作状態（ｂ）を図２８（ｂ）の切断線XXI-XXIに沿う断面により示す図である。
【図３２】従来の押しボタンスイッチの待機状態（ａ）および操作状態（ｂ）を図２８（ｂ）の切断線XXII-XXIIに沿う断面により示す図である。
【図３３】従来の押しボタンスイッチの操作部とスイッチ部が分離した状態を示す斜視図である。
【図３４】従来の押しボタンスイッチの操作部とスイッチ部が分離した状態での図２８（ｂ）の切断線XIX-XIXに沿う断面図である。
【図３５】従来の押しボタンスイッチの操作部とスイッチ部が分離した状態での図２８（ｂ）の切断線XX-XXに沿う断面図である。
【図３６】従来の押しボタンスイッチの操作部とスイッチ部が分離した状態での図２８（ｂ）の切断線XXI-XXIに沿う断面図である。
【図３７】従来の押しボタンスイッチの操作部とスイッチ部が分離した状態での図２８（ｂ）の切断線XXII-XXIIに沿う断面図である。
【図３８】異なる従来の押しボタンスイッチの待機状態を示す縦断面図である、
【図３９】異なる従来の押しボタンスイッチの操作状態を示す縦断面図である。
【図４０】異なる従来の押しボタンスイッチの操作部から離脱した状態のスイッチ部を示す縦断面図である。
【図４１】さらに異なる従来の押しボタンスイッチの待機状態を示す縦断面図である。
【図４２】さらに異なる従来の押しボタンスイッチの操作状態を示す縦断面図である。
【発明を実施するための形態】
【００４３】
この発明の実施の形態を図に示す実施例について説明する。
【実施例１】
【００４４】
図１ないし図１４にこの発明の実施例１を示す。
【００４５】
図１は、この発明の実施例１の押しボタンスイッチの外観を示す斜視図および平面図である。図２ないし図５は、この発明の動作状態を示すもので、それぞれ図１（ｂ）におけるII−II線ないしＶ−Ｖ線で示す切断線の断面図であり、各図の（ａ）は押しボタンの押し込め前の待機状態を示し、（ｂ）は押しボタンを押し込み位置まで押し込んだ操作状態を示す。
【００４６】
図６は、この発明の押しボタンスイッチの操作部とスイッチ部が分離された状態を示す斜視図である。また、図７ないし図１０は、それぞれ図６に示す押しボタンスイッチを図１（ｂ）に示す切断線と同じ切断位置で切断した断面図である。
【００４７】
図１１ないし図１４は、この発明に使用するスイッチ部の開閉接点ユニットの構成例を示すもので、図１１は接点ユニットの外観の構成を示す斜視図、接点ユニットの構成を分解して示す斜視図、図１３は常開接点構成を有する開閉接点ユニットの動作状態を示すもので、（ａ１）、（ａ２）ないし（ｃ１）、（ｃ２）はそれぞれ図１１におけるａ−ａ線ないしｃ−ｃ線の断面図、図１４は常閉接点構成を有する開閉接点ユニットの動作状態を示すもので、（ａ１）、（ａ２）ないし（ｃ１）、（ｃ２）はそれぞれ図１１におけるａ−ａ線ないしｃ−ｃ線の断面図である。
【００４８】
これらの図に示すこの発明の実施例の押しボタンスイッチの主要な構成は、図２８ないし図３７に示す従来の押しボタンスイッチの構成と同じであるので、同一の構成部分については、同一の符号で示すとともに、簡略に説明し、異なる構成部分ついての説明を詳しく行う。
【００４９】
この発明の押しボタンスイッチは、従来の押しボタンスイッチと同様に、図６に示すように分離構成された操作部ケース１１に上下動可能に挿入支持された押しボタン１２を備えた操作部１と、スイッチ部ケース２１に常開接点（ａ接点）構成の開閉接点ユニット２４ａおよび常閉接点（ｂ接点）構成の開閉接点ユニット２４ｂを収容して構成したスイッチ部２とを図１に示すように連結結合して使用される。
【００５０】
このような押しボタンスイッチの押しボタン１２が押し込み前の待機位置にある待機状態を図２ないし図５のそれぞれ（ａ）に示す。この状態では、スイッチ部２の開閉接点ユニット２４ａおよび２４ｂのそれぞれの可動接点２３ａおよび２３ｂの固着された可動接触子を２７ａおよび２７ｂを支持する可動枠２５ａおよび２５ｂが復帰ばね２６ａおよび２６ｂにより押し上げられて先端が操作部１の押ボタン１２に連繋されこれと連動する押し棒１３の下端に当接される。この状態では図４（ａ）に示すように、常開接点（ａ接点）構成の開閉接点ユニット２４ａは、可動接点２３ａが固定接点２２ａから開離してオフ状態となっている。また、常閉接点（ｂ接点）構成の開閉接点ユニット２４ｂは、図５（ａ）に示すように、可動接点２３ｂが固定接点２２ｂに閉合してオン状態となっている。
【００５１】
ここで、押しボタン１２を押し込み位置まで押し込むとこれに伴って押し棒１３が下降し、ロック機構１８により押し込み位置に保持される。押し棒１３の下降により、スイッチ部２の開閉接点ユニット２４ａおよび２４ｂの可動枠２５ａおよび２５ｂが押し下げられるので、開閉接点ユニット２４ａでは、可動接点２３ａが固定接点２２ａに閉合してオン状態に、そして閉閉接点ユニット２４ｂでは、可動接点２３ｂが固定接点２２ｂから開離してオフ状態になる。
【００５２】
この押し込み状態において、押しボタン１２を所定角度回転させてロック機構１８による押し棒１３のロックを解除すると押しボタン１２および押し棒１３が、捩じりコイルばねからなる復帰ばね１４により押し上げられともに回転前の位置に戻され、初期の復帰位置に復帰されて待機状態となる。これによってスイッチ部２の開閉接点ユニット２４ａおよび２４ｂの接点の開閉状態も初期の状態に復帰する。
【００５３】
このような、操作部１の押しボタン１２の押し込み操作および復帰操作により、スイッチ部２の開閉接点ユニット２４ａ，２４ｂの接点を開閉する動作は前記した従来の押しボタンスイッチと変わらない。
【００５４】
この発明の押しボタンスイッチにおいては、断面を示す図２ないし図５から明らかなように、スイッチ部２の開閉接点ユニット２４ａおよび２４ｂ内に、それぞれ回動可能に構成されたレバー３１とこのレバーを所定方向に付勢する開離ばね３２とで構成された接点開離機構３が設けられている。これは、従来の押しボタンスイッチにはない機構である。
【００５５】
この接点開離機構３を設けた開閉接点ユニット２４の詳細な構成を図１１ないし図１４を参照して説明する。開閉接点ユニット２４は、内部に納める開閉接点機構を選択することによって常開接点（ａ接点）構成にも常閉接点（ｂ接点）構成にもすることができる。
【００５６】
開閉接点ユニット２４は、図１２に示すようにユニット全体を支持するユニットフレーム２４ｆと、これに納められる開閉接点機構２４ｃおよび接点開離機構３とから構成される。
【００５７】
ここで、前記の開閉接点機構２４ｃは、内部に納めた固定接点２２（図４、図５参照）から引き出された引出端子２４ｔの設けられたケース２４ｄに上下動可能に支持された可動枠２５を備える。この可動枠２５の側面に突出してばね受け片２５ｃが設けられ、これによって下端がケース２４ｄによって支持された復帰ばね２６の上端の上方向へ作用する復帰ばね力を受ける。このため、可動枠２５はこの復帰ばね２６によって上方へ付勢される。可動枠２５は、ここには図示されない可動接点２３ａまたは２３ｂを有する可動接触子片２７ａまたは２７ｂを支持している。そしてケース２４ｄ内には、前記可動接点２３ａまたは２３ｂと対向して固定接点２２ａまたは２２ｂが配設され、両方の接点が開閉接点対を構成する。この開閉接点対は、可動接点の種類を選択することにより図１３（ａ１）に示すような常開接点（ａ接点）構成または図１４（ａ１）に示すような常閉接点（ｂ接点）構成の接点対とすることができる。
【００５８】
接点開離機構３のレバー３１は、平行する１対の回動アーム３１ａ、３１ａとこの回動アーム３１ａ、３１ａの先端間を連結する連結アーム３１ｂとによりＵ字形に形成される。回動アーム３１ａの中間部に回動軸３１ｃが形成され、連結アーム３１ｂの中間部に下方に突出する押圧片３１ｄが設けられている。このように構成されたレバー３１は、外側に突出した回動軸３１ｃをそれぞれ開閉接点機構２４ｃのケース２４ｄの上面に突出形成した軸受片２４ｅの溝内に挿入することによりケース２４ｄにより回動可能に支持される。回動アームの内側のもう１つの回動軸３１ｇと開閉接点機構２４ｃに設けられた支持軸２４ｇとは捩じりコイルばね（トーションばね）よりなる開離ばね３２を介して連結される。レバー３１の押圧片３１ｄは、開閉接点機構２４ｃのケース２４ｄの可動枠２５のばね受け片２５ｃの案内される溝２４ｈ内に挿入される。このため、押圧片３１ｄは、レバー３１の回動にしたがってばね受け片２５ｃと接離可能となる。
【００５９】
このような接点開離機構３の組み込まれた開閉接点機構２４ｃは、その嵌合用凸条２４ｐをユニットフレーム２４ｆの嵌合用溝２４ｑに嵌め込んでフレーム２４ｆに装着し、図１１に示すような開閉接点ユニット２４を構成する。
【００６０】
このように構成された開閉接点ユニット２４を、常開接点構成の開閉接点ユニット２４ａまたは常閉接点構成の開閉接点ユニット２４ｂとしてスイッチ部ケース２１に組み込むことによりスイッチ部２が構成され、このスイッチ部２と操作部１とを連結結合して押しボタンスイッチが完成する。
【００６１】
開閉接点ユニット２４に組み込まれた接点開離機構３の開離ばね３２は、一端が開閉接点機構のケース２４ｄに固定され、他端がレバー３１の回動アーム３１ａに固定されるため、レバー３１は、この開離ばね３２から常に反時計方向の付勢力を受ける。
【００６２】
しかしながら、開閉接点ユニット２４は、スイッチ部２を、押しボタン１２を有する操作部１に連結したとき、図３によく示されているように、スイッチ部２内に挿入された操作部１のケース１１の先端の胴体部１１ａの下端がレバー３１の基端側（反連結アーム側）端部に当接し、開離ばね３２の付勢力に抗してこれを僅かに押し下げるように構成されている。このため、スイッチ部２が操作部１に結合された状態では、レバー３１は、その回動軸３１ｃを支点にして時計方向へ回動される。これによりレバー３１の先端側（連結アーム３１ｂ側）の押圧片３１ｄが上方へ移動し、開閉接点機構の可動枠２５のばね受け片２５ｃから離間し、可動枠２５への開離ばね３２による付勢力が解除される。
【００６３】
したがって、スイッチ部２が操作部１に連結、結合された完全な状態においては、常開接点（ａ接点）構成の開閉接点ユニット２４ａの開閉接点機構は、図１３の（ａ１）ないし（ｃ１）および図４（ａ）に示すように、可動接点２３ａが固定接点２２ａから離間し、オフ状態となる。また、常閉接点（ｂ接点）構成の開閉接点ユニット２４ｂの開閉接点機構は、図１４の（ａ１）ないし（ｃ１）および図５（ａ）に示すように、可動接点２３ｂが固定接点２３ｂに閉合し、オン状態となる。
【００６４】
ここで押しボタン１２を押し込んで、操作状態にすると、これと連動する押し棒１３により開閉接点ユニット２４ａ、２４ｂの可動枠２５ａ、２５ｂが押し下げられることにより、常開接点（ａ接点）構成の開閉接点ユニット２４ａは、図４（ｂ）に示すよう可動接点２３ａが固定接点２２ａに閉合し、オン状態となり、そして常閉接点（ｂ接点）構成の開閉接点ユニット２４ｂは、図５（ｂ）に示すよう可動接点２３ｂが固定接点２２ｂから開離し、オフ状態となる。
【００６５】
スイッチ部２が操作部１に完全に結合された状態では、接点開離機構３のレバー３１は、開離ばね３２の付勢力が操作部１の胴体部１１ａと接合するレバー３１の基端側端部で受け止められるため、開離ばね３２の付勢力はレバー３１の先端側の押圧片３１ｄから開閉接点機構の可動枠２５へは伝達されない。このため、この状態での押しボタン１２による開閉操作においては、接点開離機構３の開離ばね３２のばね力の影響をまったく受けることがなく、操作を円滑に行うことができる。
【００６６】
次に、このような押しボタンスイッチにおいて、何らかの原因により操作部１とスイッチ部２との結合が外れてスイッチ部２が操作部１から離脱して操作部１とスイッチ部２とが不完全な結合状態となった場合について説明する。
【００６７】
スイッチ部２が操作部から外れると、それまでレバー３１の基端側端部と接触しこれを押圧していた操作部ケース１１の胴体部１１ａの先端がこれから離間するため、このレバー３１の基端側端部に対する規制が解除され、これが自由な状態となる。
【００６８】
この状態における常開接点（ａ接点）構成および常閉接点（ｂ接点）構成の開閉接点ユニット２４ａおよび２４ｂの状態をそれぞれ図１３の（ａ２）ないし（ｃ２）および図１４の（ａ２）ないし（ｃ２）に示す。
【００６９】
これらの図から明らかなように、スイッチ部２が操作部１から外れると、操作部ケース１１の胴体部１１ａの先端がレバー３１の基端側端部から離れることにより自由となったレバー３１は、開離ばね３２の付勢力により反時計方向に回動される。レバー３１の回動に伴ってその先端側端部の押圧片３１ｄが下方へ移動し、開閉接点機構２４ｃの可動枠２５のばね受け片２５ｃに当接してこれを押し下げるので、可動枠２５が復帰ばね２６に抗して下降し、これとともに可動接点を支持した可動接触子２７ａ，２７ｂも下降する。これにより、常閉接点（ｂ接点）構成の開閉接点ユニット２４ｂの場合は、可動接点２３ｂが固定接点２２ｂから離間しオフ状態となる（図１４（ａ２）、図１０参照）。また、常開接点（ａ接点）構成の開閉接点ユニット２４ａの場合は、可動接点２３ａが下降し、固定接点２２ａに接近するが、レバー３１による押し下げ量が閉合する位置に達しないように制限されていることにより、固定接点２２ａと閉合するまでに至らずオフ状態を維持する（図１３（ａ２）、図９参照）。
【００７０】
このように構成された特に常閉接点（ｂ接点）構成の開閉接点ユニットを組み込んだスイッチ部を操作部に結合して構成した押しボタンスイッチは、機器の非常停止用押しボタンスイッチＳとして使用した際、押しボタンを押しこみ操作して接点をオフにして非常停止を指令している状態で、スイッチ部２が操作部１から外れて離脱するような異常（結合不良）状態が生じると、接点開離機構３により閉合状態に戻される可動接点を強制的に固定接点から開離させてオフ状態にすることができるので、非常停止指令が解除される危険を防止することができる。
【００７１】
なお、この実施例では、開閉接点ユニットとして、それぞれ１組の開閉接点を備えたものを示したが、この発明においては、これに限るものでなく、スイッチ部の開閉接点ユニットとして、複数組の開閉接点を有する開閉接点ユニットを使用することができ、その実施例を後述する。
【実施例２】
【００７２】
次に、先記実施例１の開閉接点ユニット２４（図１１，図１２参照）に設けた接点開離機構３について、そのレバー３１に付設した開離ばね(捩じりコイルばね)３２に代えて、圧縮コイルばねの開離ばねを採用した応用実施例を図１５ないし図１７で説明する。
【００７３】
なお、図１５は開閉接点ユニットの組立状態の外観を示す斜視図、図１６は図１５の分解斜視図、図１７は開閉接点ユニットに搭載した常閉接点（ｂ接点）構成の動作を表す図であり、図１１，図１２，図１４に対応する部材には同じ符号を付している。
【００７４】
すなわち、この実施例においては、前記レバー３１の回動アーム３１ａに対して、その回転軸３１ｃを挟んで連結アーム３１ｂと反対側の端部３１ｅと開閉接点機構２４ｃのケース２４ｄとの間には圧縮コイルばねの開離ばね３３が介装されている。なお、この開離ばね３３は前記ケース２４ｄに形成した凹部２４ｉ（図１６参照）に挿入して所定位置に保持している。
【００７５】
上記構成により、レバー３１は回転軸３１を支点にして前記の開離ばね（圧縮コイルばね）３３から常に反時計方向の付勢力を受けることになる。また、このスイッチ部２を操作部１に連結した状態では、先記の実施例１と同様にスイッチ部２内に挿入された操作部１のケース１１の先端の胴体部１１ａ（図３参照）の下端が前記レバー３１の端部３１ｅの上に当接し、開離ばね３３の付勢力に抗してこれを僅かに押し下げる。したがって、スイッチ部２が操作部１に結合された状態では、レバー３１は、その回動軸３１ｃを支点にして時計方向へ回動される。これにより、レバー３１の連結アーム３１ｂに設けた押圧片３１ｄが上方へ移動し、開閉接点機構２４ｃに組み込んだ可動枠２５のばね受け片２５ｃから離間して可動枠２５に作用する開離ばね３３のばね付勢力が解除される。
【００７６】
したがって、スイッチ部２が操作部１に結合された状態では、図１７の（ａ１）ないし（ｃ１）で示すよう常閉接点（ｂ接点）構成の開閉接点機構２４ｂでは、可動接点２３ｂが固定接点２３ｂに閉合してオン状態となる。
【００７７】
ここで、操作部１の押しボタン１２を押し込んで操作状態にすると、これと連動する押し棒１３により開閉接点ユニットの可動枠２５が押し下げられることにより、常閉接点（ｂ接点）構成の開閉接点ユニット２４では、図１７の（ａ２）ないし（ｃ２）で示すよう可動接点２３ｂが固定接点２２ｂから開離してオフ状態となる。
【００７８】
すなわち、スイッチ部２が操作部１に完全に結合された状態では、接点開離機構３のレバー３１は、開離ばね３３の付勢力が操作部１の胴体部１１ａ（図３参照）と接合するレバー３１の端部で受け止められて反時計方向に回動するため、開離ばね（圧縮コイルばね）３３の付勢力はレバー３１の押圧片３１ｄから開閉接点機構の可動枠２５へは伝達されない。したがって、この状態での押しボタン１２による開閉操作においては、先記の実施例１と同様に、接点開離機構３の開離ばね３３のばね力の影響をまったく受けることがなしに操作を円滑に行うことができる。
【００７９】
一方、何らかの原因により操作部１とスイッチ部２との結合が外れてスイッチ部２が離脱すると、それまでレバー３１の基端側端部３１ｅに接触しこれを押し込んでいた操作部ケース１１の胴体部１１ａの先端が離間するため、レバー３１に対する規制が解除されて自由な状態となる。その結果、図１７の（ａ２）ないし（ｃ２）で示すように常閉接点（ｂ接点）構成での可動接点２３ｂが固定接点２２ｂから強制開離し、オフ状態となって先記実施例１と同様な安全機能を発揮することができる。
【００８０】
加えて、レバー３１の開離ばねとして圧縮コイルばねをレバー３１の後端部３１ｅと開閉接点機構のケース２４ｄとの間に介装したことにより、レバー３１の回転軸３１ｃに捩じりコイルばねの開離ばねを付設した先記実施例１の構成と比べて開離ばねの組み付けが簡単となり、ロボットによる機械組立方式でも容易に対応できる。
【実施例３】
【００８１】
次に図１８に示すこの発明の実施例３について説明する。
【００８２】
図１８はこの実施例の外観を示す斜視図である。この実施例における操作部１に結合されたスイッチ部２は、４個の開閉接点ユニット２４−１〜２４−４を備える。各開閉接点ユニットは前記の実施例１に示した常開接点（ａ接点）構成の開閉接点ユニット２４ａまたは常閉接点（ｂ接点）構成の開閉接点ユニット２４ｂを選択的に用いるもので、相互に並列および直列に連結結合して共通のスイッチ部ケース２１により支持されている。直列に２段に結合された開閉接点ユニットは、内部の可動接点を支持して、操作部１の内部の押し棒と連動する可動枠が相互に連動可能に連接されている。これにより、多数の開閉接点回路を操作できる押しボタンスイッチとすることができ、複数の非常停止指令が必要な場合等に使用することができる。なお、開閉接点ユニット２４は２段以上の多段に連結することもできる。
【実施例４】
【００８３】
次に、押しボタンスイッチの小形，コンパクト化を狙いに、スイッチ部の組立構造を改良した実施例４を図１９ないし図２１を参照して説明する。
【００８４】
先記の実施例３では、スイッチ部２に各独立構造になる複数個の開閉接点ユニット２４−１ないし２４−４を組合せて設け、この開閉接点ユニットごとに接点開閉機構の可動枠２５、および接点開離機構３を設けて操作部１と連係させたものを示したが、この実施例４においては、単体構造になる開閉接点ユニットに複数組の開閉接点（常開接点（ａ接点）ないし常閉接点（ｂ接点）構成の接点対）を組み込むとともに、各組の開閉接点の可動接点を全て共有の可動枠に一括保持した構成とし、かつこの共有可動枠に接点開離機構を組合せて操作部と連係させるようにしている。
【００８５】
すなわち、この実施例では、箱形のスイッチ部ケース２１に対して、前後列に分けて片側に３組ずつ合計６組の開閉接点が組み込まれている。なお、図示構造では、スイッチ部ケース２１の前列側に３組の常閉接点対（ｂ接点）が、後列側には常開接点対（ａ接点）が左右に配列されている。ここで、各組の開閉接点は左右に並べてスイッチ部ケース２１に嵌合保持した引出し端子２４ｔ付きの固定接触子２２ｃのうち、隣り合う２本の固定接触子２２ｃを対として、この固定接触子２２ｃと直交する向きに橋絡型の可動接触子２７ａを配した組合せからなり、かつ各組の可動接触子２７が共有の可動枠２５から前後に突き出し形成した接触子ホルダ２５−１に接触ばねと組合せて嵌入保持されている。
【００８６】
また、前記の共有可動枠２５は、その中央部位から上方に突き出した筒形の凸部をスイッチ部ケース２１の上面に開口した嵌合穴２１ａに臨ませて配置されている。さらに、可動枠２５の左右両側には、接点開離機構として２組のシーソー式レバー３１が圧縮コイルばねの開離ばね３３と組み合わせて配備されている。
【００８７】
そして、スイッチ部２を操作部１に結合した状態（図１９参照）では、操作部１の胴体部１１ａが上側からレバー３１の端部３１ｅに当接し、開離ばね３３に抗して２組のレバー３１の端部を同時に押し込む。これにより、レバー３１は回転軸３１ｃを支点に回動し、レバー３１の押圧片３１ｄが可動枠２５の左右両端に突き出たばね受け片２５ｃから離間して可動枠２５に作用する開離ばね３３のばね付勢力を解除する。その結果、可動枠２５，および可動枠２５に保持した各組の可動接触子２２ｃが復帰ばね２６のばね付勢力を受けて押し上げられて常閉の開閉接点（ａ接点）がオン，常開の開閉接点（ｂ接点）がオフとなる。また、この状態から操作部１の押しボタン１２を押込むと、押しボタン１２に連繋した押棒が可動枠２５を直接押し込んで各組の開閉接点が切り換わる。
【００８８】
一方、操作部１とスイッチ部２との結合が外れてスイッチ部２が脱落した状態になると、レバー３１は開離ばね３３のばね付勢力を受けて揺動復帰し、先端の押圧片３１ｄが可動枠のばね受け片２５ｃを押し込む。これにより、可動枠２５は復帰ばね２６に抗して下降し、各組の開閉接点を全てオフに切り換える。この動作機能は先記の実施例１，２で述べたと同様である。
【００８９】
つまり、操作部１にスイッチ部２を結合した状態で、押しボタン１２が押されてないときは常閉接点（ｂ接点）がオン，常開接点（ａ接点）がオフであり、押しボタン１２を押し込むと常閉接点はオフ，常開接点はオンに切り換わる。また、操作部１とスイッチ部２との結合が不測に外れてスイッチ部が脱落した状態になると、図１３，図１４で述べたように常開接点，常閉接点は共にオフとなる。これにより、スイッチ部２に装備した複数組の開閉接点（常開接点，および常閉接点）のオン，オフ信号から操作部１とスイッチ部２の結合状態と脱落状態を識別して検知することができる。
【００９０】
また、この実施例によるスイッチ部は、１個の開閉接点ユニットに複数組の開閉接点，および各組の開閉接点に共有な可動枠を搭載して構成したので、スイッチ部にそれぞれ独立した複数個の開閉接点ユニットを組合せて結合した先記実施例３と比べて、スイッチ部を小形，コンパクトに構成することができる。
【００９１】
なお、図示実施例ではスイッチ部ケース２１に対して、前列側に３組の常閉接点，後列側に３組の常開設定を配列しているが、開閉接点の設置組数、および常開，常閉接点の組合せはこれに限定されることなく自由に選択できる。
【実施例５】
【００９２】
先記した実施例１〜４の押しボタンスイッチは、いずれも押しボタンの操作部を制御盤などのパネルに装着し、この操作部の背後にスイッチ部を連結して盤内の配線（リード線）と接続して使用している。一方、これとは別に、押しボタンスイッチの操作部とスイッチ部を独立した操作ボックスに組み込み、この操作ボックスを制御盤のパネル前面などに取り付けた上で、スイッチ部に接続した電線を操作ボックスから引き出して外部配線するようにしたボックス組込み型の押しボタンスイッチも知られている。
【００９３】
このボックス押込み型の押しボタンスイッチは、ベースとカバーとの分割構造になる樹脂成形品の操作ボックス（この操作ボックスは、オプション品としてユーザーに提供される）に対して、操作部をボックスのカバーに取付け、スイッチ部の組立体をベース内部に組み込んだ上で、スイッチ部の端子に接続した外部配線をベースから側方に引き出すようにしている。
【００９４】
次に、前記のボックス組込み型押しボタンスイッチに適用するこの発明の実施例５を図２２および図２３に示す。
【００９５】
この実施例５においては、押しボタンスイッチの操作部１，およびスイッチ部２を樹脂成形品になる操作ボックス４に収容してボックス組込み型の押しボタンスイッチを構成している。ここで、操作ボックス４は、図２２に示すように、カバー４１とベース４２に分割構成されている。カバー４１とベース４２とは、互いに重ね合わせて、カバー４１に挿通した締め付けねじ４１ａをケース４２のねじ穴４２ａにねじ込んで一体に結合される。
【００９６】
カバー４１には、押しボタンスイッチの押しボタン１２を備えた操作部１が取り付けられる。ベース４２には、スイッチ部２を取り付けるが、前記の実施例１で述べたスイッチ部２は、そのままでは取り付けることができないので、この実施例では端子台４３を使用している。
【００９７】
この端子台４３は、ねじ穴４２ｂにねじ込まれる取り付けねじ４３ａによりベース４２に固定される。また、端子台４３は、詳細を図２３に示すように、四隅にねじ接続端子４３ｄを設け、その中間部に開閉接点ユニット２４を装着するための空所を備える。接続端子部には、図２３（ｂ）に示すように、ねじ接続端子４３ｄに電気的に接続されたＬ字型の弾性導電板により構成された接触片４３ｅが設けられている。この接触片４３ｅは、端子台４３に図２２に示すように開閉接点ユニット２４が装着されると、その引き出し端子２４ｔ（図１１参照）に接触して開閉接点ユニット２４の引き出し端子２４ｔをねじ接続端子４３ｄに導電接続する。なお、外部接続する電線はカバー４１を外した状態でベース４２に側壁に開口したリードホール４２ｃを通してベース内に引き回した上で、前記のねじ接続端子４３に接続する。
【００９８】
また、ここで使用する開閉接点ユニット２４は、実施例１に示したスイッチ部２に使用された開閉接点ユニット２４をそのまま使用できる。端子台４３に装着された開閉接点ユニット２４は、その側面に設けた嵌合凹所２４ｖに端子台４３の側面に設けた係合フック４３ｆを係合することにより端子台４３に固定される。この実施例では、開閉接点ユニット２４が２個装着可能に構成されているが、２個以上装着の構成にすることもできる。また、先記の実施例４で述べたように１個の開閉接点ユニットに複数組の開閉接点を備えた開閉接点ユニットを採用することもできる。
【００９９】
予め所要数の開閉接点ユニット２４を端子台４３に装着して構成したスイッチ部２を操作ボックス４のベース４２内に取付け固定し、このベース４２に操作部１を取り付けたカバー４１を被せて、これを締め付けねじ４１ａによりベース４２に締め付け結合することにより操作ボックス４が完成する。カバー４１をベース４２に被せて結合した際に押しボタンスイッチの操作部１とスイッチ部２との結合も行われる。
【０１００】
このため、操作ボックス４のカバー４１とベース２の締め付け不十分な場合や、非常停止操作状態にも拘らず、メンテナンスなどのために、不用意にカバー４１を外した場合には、押しボタンスイッチの操作部１とスイッチ部２との結合が不完全な状態となる。このように押しボタンスイッチの操作部１とスイッチ部２との結合が不完全な常態になると、スイッチ部２内の開閉接点ユニット２４には、実施例１の場合と同様に接点開離機構３が設けられているので、この接点開離機構３が、操作部１とスイッチ部２の結合不良を検知し、常閉接点（ｂ接点）構成の開閉接点ユニットの常時閉合されている接点を強制的に開離させることができる。したがって、この操作ボックスに収めた押しボタンスイッチを非常停止用スイッチとして使用した場合、スイッチ部が操作部から外れるような事故が生じても、不用意に非常停止指令が解除されることがないので、安全性を確保できる。
【実施例６】
【０１０１】
次に、先記実施例５のボックス組込み型押しボタンスイッチの組立構造をさらに改良したこの発明による実施例６を図２４〜図２６に示す。
【０１０２】
すなわち、先記実施例５（図２２，図２３参照）の構成では、操作ボックス４のベース４２に独立部品になる端子台４３を設置し、この端子台４３を取り付けねじ４３ａでベース４２の底部にねじ止めしている。また、この端子台４３には外部配線の接続用ねじ接続端子４３ｄ，および開閉接点ユニット２４の引出し端子２４ｔと電気的に接続する接触片４３ｅを設けた上で、スイッチ部２の組立体を端子台４３の中間空所に嵌合して固定するようにしている。このために、実施例５の組立構造ではスイッチ部２を操作ボックス４に組み込むのに用いる端子台４３の構造が複雑化し、その部品点数，組立工数が多くなる課題が残る。
【０１０３】
そこで、この課題を改良したのがこの実施例６であり、この実施例では実施例５でベース４２に取付けた別部品の端子台４３（図２２参照）使わずに、スイッチ部２の組立体を操作ボックス４に組み込んだ上で、操作ボックス４に引き込んだ外部配線をスイッチ部２の端子に接続するようにしている。なお、この実施例では先記実施例１と同様に２個の開閉接点ユニット２４を組み合わせてスイッチ部２を構成している。
【０１０４】
すなわち、この実施例６においては、操作ボックス４のベース４２の内部にスイッチ部２の組立体を落し込み式に嵌合する凹状の空所を画成するとともに、この空所を挟んでその左右両側には後記の中継端子金具を担持する端子台部４２ｄが一体に成形されている。また、スイッチ部２の組立体を構築する開閉接点ユニット２４には、そのユニット下面側に配した引出し端子２４ｔに一端を接続して他端をベース４２の上面側に引き出したＺ字状の中継端子金具４４（図２６参照）を取付け、この中継端子金具４４の先端には外部配線接続用の端子ねじ４５を螺設している。なお、この中継端子金具４４は銅板をプレス加工して打ち抜き、その両端をＬ形に屈曲してＺ形状に成形したもので、４４ａは前記端子ねじ４５を螺合するねじ穴、４４ｂは開閉接点ユニット２４の引出し端子２４ｔ（端子ねじ）を通すねじ通し穴である。
【０１０５】
そして、前記の中継端子金具４４を図示のように開閉接点ユニット４２に組み付けた状態で、スイッチ部２の組立体を操作ボックス４のベース４２の中央に上方から落し込んで嵌め込むと、中継端子金具４４の先端部がベース４２の内部に形成した端子台４２ｄの上に担持されてスイッチ部２がベース内の所定位置に仮保持されるようになる（図２６（ｃ）参照）。一方、操作ボックス４のカバー４１には、先記実施例５と同様に押しボタン１２を備えた操作部１を取付けておく。また、この実施例では、カバー４１の内側にベース４２の端子台４２ｄと対向するように壁状の押え込みリブ４１ｂを一体に成形しておく。
【０１０６】
上記の仮組立状態で操作ボックス４のベース４２にカバー４１を被せ、カバー４１に挿通した締め付けねじ４１ａをケース４２のねじ穴４２ａにねじ込んで一体に結合すると、図２４で表すように前記中継端子金具４４の上端部がベース４２の端子台４２ｄとカバー４１の押え込みリブ４１ｂとの間に上下から挟み込まれてこの位置に挟持固定される。同時に操作部１とスイッチ部２とが結合状態にセットされてボックス組込み型押しボタンスイッチが完成する。また、この押しボタンスイッチに電線を外部配線するには、実施例５と同様にカバー４１を外した状態で、ベース４２の側壁に開口したリードホール４２ｃ通して電線をベース内に引き込んで前記の端子ねじ４５に接続する。この場合に、端子ねじ４５はベース４２の上面側に配置されているので配線作業を簡単に行うことができる。
【０１０７】
上記した実施例６の構成により、先記実施例５で述べたように操作ボックス４のベース４２側に独立部品の端子台４３（図２２参照）を追加設置することなしに、盤パネルに取付けて使用する先記の実施例１の押しボタンスイッチと同じ構造の操作部１，およびスイッチ部２の開閉接点ユニット２４を共用部品として、ねじレス方式で操作ボックス４の中に組み込むことができて部品点数，組立工数の削減化が図れる。したがって、例えばユーザーサイドで既存の操作部，スイッチ部を利用し、これに新たに購入して操作ボックス（オプション品）を組み合わせてボックス組込み型押しボタンスイッチを構築する場合でも、簡単な作業で対応できる。
【０１０８】
また、この実施例では、操作ボックス４のベース４２にスイッチ部２を組み込む際の組立作業の便宜性を高めるために、次記のような構造を採用している。すなわち、前記した中継端子金具４４の立ち上り部分にはその左右側縁に鋸歯状の係合突起４４ｃ（図２６（ｂ）参照）を形成しておくとともに、ベース４２の端子台４２ｄには前記係合突起４４ｃを圧入する縦溝を形成しておく。これにより、スイッチ部２の組立体を操作ボックス２のベース４２に組み込む際に、中継端子金具４の係合突起４４ｃを端子台４２ｄの溝に圧入することで、スイッチ部２を簡単に仮組立位置に掛止保持させることができる。
【０１０９】
そのほか、この実施例５の押しボタンスイッチでは、開閉接点ユニット２４を２個使用してスイッチ部２を構成しているが、２個以上の開閉接点ユニット２４を組み合わせて構成にすることもできる。また、先記の実施例４で述べたように、１個の開閉接点ユニットに複数組の開閉接点を備えた開閉接点ユニットを採用することもできる。そのほか、スイッチ部２の開閉接点ユニット２４には先記の実施例１で述べた接点開離機構３が装備されているので、このボックス組込み型押しボタンスイッチを非常停止用スイッチとして使用する場合に、操作ボックス４のカバー４２が不測に緩んだり，外れたりして操作部１とスイッチ部２との結合が外れるような事態が生じても、不用意に非常停止指令が解除されることがないので高い安全性を確保できる。
【０１１０】
なお、前記の接点開離機構３について、先記の実施例１では接点開離機構３がスイッチ部２の内部に組み込まれているが、スイッチ部２を操作ボックス４に収容したボックス組込み型押しボタンスイッチでは、操作ボックス４の内部空間を利用して接点開離機構をスイッチ部２の外側に設けて構成することも可能である。
【実施例７】
【０１１１】
次に、先記実施例５の構造一部を変更したこの発明の実施例７を図２７（ａ）〜（ｃ）に示す。
【０１１２】
先記実施例６ではスイッチ部２の開閉接点ユニット２４に付設した中継端子金具４４に係合突起４４ｃを形成しておき、スイッチ部２を操作ボックス４のベース４に組み込む際にこの係合突起４４ｃをベースの端子台４２ｄの溝に圧入して開閉接点ユニット２４を仮組立位置に掛止保持するようにしている。これに対して、実施例７ではベース４２の底部に簡易な構造のスイッチ部取付けフレーム（樹脂成形品）４６を設置し、この取付けフレーム４６に嵌め込んだ各個の開閉接点ユニット２４を取付けフレーム４６にスナップフィット結合して組立位置に掛止固定するようにしている。
【０１１３】
すなわち、先記の実施例１（図１参照）、および実施例５（図２２参照）で示すように、スイッチ部２の開閉接点ユニット２４には、その外枠の左右側面に掛止用の嵌合凹所２４ｖを備えている。そこで、この実施例においては、図２７（ｂ）で示すように取付けフレーム４６にねじ座４６ａを形成し、ここに挿通した取付けねじ４６ｂを介してベース４２の底部中央に固定するようにしている。また、取付けフレーム４６を挟んでベース４２の内部には、先記実施例５と同様に開閉接点ユニット２４に付設した中継端子金具４４の先端部を支える端子台４２ｄが一体に形成されている。なお、４２ｄ−１は中継端子金具４４を嵌入する縦溝である。そして、この取付けフレーム４６の左右側縁には、開閉接点ユニット２４に設けた嵌合凹所２４ｖ（図２７（ａ）参照）に対応する係合突起４６ｃを形成している。
【０１１４】
上記の構成で、スイッチ部２の組立体を上方から前記取付けフレーム４６に押し込むと、各個の開閉接点ユニット２４に設けた掛止用嵌合凹所２４ｖが取付けフレーム４６の係合突起４６ｃに嵌まり合って両者の間がスナップフィット結合されて、スイッチ部２が所定位置に掛止固定される。しかも、前記取付けフレーム４６は先記実施例５の端子台４３に比べて構造が簡単で、安価に製作できる。
【符号の説明】
【０１１５】
１：押しボタンスイッチの操作部
１１：操作部ケース
１２：押しボタン
１３：押し棒
２：押しボタンスイッチのスイッチ部
２１：スイッチ部ケース
２４、２４ａ、２４ｂ：開閉接点ユニット
３：接点開離機構
３１：レバー
３２：開離ばね（捩じりコイルばね）
３３：開離ばね（圧縮コイルばね）
４：操作ボックス
４１：カバー
４２：ベース
４４：中継端子金具
４５：端子ねじ
４６：スイッチ部取付けフレーム
【図１】
2010232157.tif 000003
【図２】
2010232157.tif 000004
【図３】
2010232157.tif 000005
【図４】
2010232157.tif 000006
【図５】
2010232157.tif 000007
【図６】
2010232157.tif 000008
【図７】
2010232157.tif 000009
【図８】
2010232157.tif 000010
【図９】
2010232157.tif 000011
【図１０】
2010232157.tif 000012
【図１１】
2010232157.tif 000013
【図１２】
2010232157.tif 000014
【図１３】
2010232157.tif 000015
【図１４】
2010232157.tif 000016
【図１５】
2010232157.tif 000017
【図１６】
2010232157.tif 000018
【図１７】
2010232157.tif 000019
【図１８】
2010232157.tif 000020
【図１９】
2010232157.tif 000021
【図２０】
2010232157.tif 000022
【図２１】
2010232157.tif 000023
【図２２】
2010232157.tif 000024
【図２３】
2010232157.tif 000025
【図２４】
2010232157.tif 000026
【図２５】
2010232157.tif 000027
【図２６】
2010232157.tif 000028
【図２７】
2010232157.tif 000029
【図２８】
2010232157.tif 000030
【図２９】
2010232157.tif 000031
【図３０】
2010232157.tif 000032
【図３１】
2010232157.tif 000033
【図３２】
2010232157.tif 000034
【図３３】
2010232157.tif 000035
【図３４】
2010232157.tif 000036
【図３５】
2010232157.tif 000037
【図３６】
2010232157.tif 000038
【図３７】
2010232157.tif 000039
【図３８】
2010232157.tif 000040
【図３９】
2010232157.tif 000041
【図４０】
2010232157.tif 000042
【図４１】
2010232157.tif 000043
【図４２】
2010232157.tif 000044